【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
ビーコンを第１のマスタービーコンに自動的に接続する方法であって、
前記第１のマスタービーコンによって、各ビーコンに搭載されたビーコン記憶装置に格納された各ビーコンのユニバーサルユニーク識別子（ＵＵＩＤ）と各ビーコンの第１のプロファイル識別子と各ビーコンの第２のプロファイル識別子とを含む各ビーコンのアドバタイズメントを検出することで、複数のビーコンの各ビーコンを自動的に検出するステップと、
前記第１のマスタービーコンによって、前記複数のビーコンの中の一群のビーコンの各ビーコンに対して、前記第１のプロファイル識別子及び前記第２のプロファイル識別子のうちの一方のプロファイル識別子を自動的に変更するステップと、を含み、
前記一方のプロファイル識別子は、前記一群のビーコンの各ビーコンにおいて同一になるとともに、前記マスタービーコンに関連付けられる、
方法。
【請求項２】
前記一群のビーコンは、前記複数のビーコンにおけるすべてのビーコンである、
請求項１に記載の方法。
【請求項３】
前記一群のビーコンは、前記複数のビーコンにおける一部のビーコンである、
請求項１に記載の方法。
【請求項４】
前記一方のプロファイル識別子は、前記一群のビーコンの各ビーコンの前記第１のプロファイル識別子であり、
前記一群のビーコンの各ビーコンの前記第１のプロファイル識別子は、前記マスタービーコンの第１のプロファイル識別子と同一であることによって前記マスタービーコンに関連付けられる、
請求項１に記載の方法。
【請求項５】
前記第１のマスタービーコンは、前記一群のビーコンの各ビーコンに対して、前記各ビーコンの前記第２のプロファイル識別子が前記一群のビーコン間で重複がないように自動的に変更する、
請求項４に記載の方法。
【請求項６】
前記一群のビーコンの前記各ビーコンに対して、
前記ビーコンの前記第１のプロファイル識別子及び前記第２のプロファイル識別子を自動的に変更する前に、前記第１のマスタービーコンが前記ビーコンを自動的に送信モードから受信モードに切り替え、
前記ビーコンの前記第１のプロファイル識別子及び前記第２のプロファイル識別子を自動的に変更した後に、第１のマスタービーコンが自動的に前記ビーコンを前記受信モードから前記送信モードに切り替える、
請求項５に記載の方法。
【請求項７】
前記第１のマスタービーコンが前記複数のビーコンの各ビーコンを自動的に検出するステップにおいて、前記第１のマスタービーコンは各ビーコンからのアドバタイズメントを取得し、
前記第１のマスタービーコンが前記一群のビーコンの各ビーコンを前記送信モードから前記受信モードに自動的に切り替えるステップにおいて、
前記第１のマスタービーコンは、前記ビーコンからの前記アドバタイズメントを使用して前記ビーコンのセキュリティプロトコルを識別するとともに、前記セキュリティプロトコルを使用して前記ビーコンを前記送信モードから前記受信モードに切り替え、
前記第１のマスタービーコンが前記一群のビーコンの各ビーコンを前記受信モードから前記送信モードに自動的に切り替えるステップにおいて、前記第１のマスタービーコンは
、前記セキュリティプロトコルを使用して前記ビーコンを前記受信モードから前記送信モードに切り替える、
請求項６に記載の方法。
【請求項８】
前記マスタービーコンが、前記一群のビーコンの各ビーコンについて、前記ビーコンのＵＵＩＤ、変更された前記第１のプロファイル識別子及び変更された前記第２のプロファイル識別子を、前記マスタービーコンから離れたサーバ内のマスターデータベースに格納するステップをさらに含む、
請求項５に記載の方法。
【請求項９】
各ビーコンについて、
前記ビーコンの前記第１のプロファイル識別子及び前記第２のプロファイル識別子を自動的に変更する前に、前記第１のマスタービーコンは、前記ビーコンが稼働中の別のマスタービーコンと既に関連付けられているかどうかについて前記マスターデータベースを確認し、
前記各ビーコンについて、前記第１のマスタービーコンは、前記ビーコンが稼働中の別のマスタービーコンに関連付けられていない場合にのみ、前記ビーコンの第１のプロファイル識別子及び第２のプロファイル識別子を自動的に変更する、
請求項８に記載の方法。
【請求項１０】
前記サーバは、前記第１のマスタービーコンと第２のマスタービーコンとをより大きなネットワーク内の単一の論理ネットワーク領域に割り当て、
前記サーバは、前記第１のマスタービーコンと前記第２のマスタービーコンとが共通のマスタービーコン識別子を有するように、前記第１のマスタービーコン及び前記第２のマスタービーコンのうちの少なくとも一方のマスタービーコン識別子を変更し、
前記共通のマスタービーコン識別子は、前記ネットワーク内において世界でただ１つとなる、
請求項９に記載の方法。
【請求項１１】
前記マスタービーコンは、前記一群のビーコンの各ビーコンに対して、
前記ビーコンの推定位置を三角測量し、
前記ビーコンの前記推定位置を前記マスターデータベースに格納する、
請求項８に記載の方法。
【請求項１２】
マスタービーコンと、前記マスタービーコンのＢＬＥ範囲内に位置する複数のビーコンを備え、
前記マスタービーコンは、マスタービーコン処理ユニットと、前記マスタービーコン処理ユニットに接続された移動体通信ユニット及び無線ローカルネットワークユニットのうちの少なくとも一方と、前記マスタービーコン処理ユニットに接続されたＢＬＥ対応ブルートゥースユニット及びマスタービーコン記憶装置と、前記マスタービーコンに電力を供給するように構成された電源とを備え、
前記マスタービーコン記憶装置は、前記マスタービーコンのマスタービーコン識別子、第１のプロファイル識別子及び第２のプロファイル識別子と、前記マスタービーコン処理ユニットによって実行可能な命令情報とを格納し、
前記複数のビーコンの各ビーコンは、ＢＬＥユニットと、前記ＢＬＥユニットに接続されたビーコン処理ユニットと、前記ビーコン処理ユニットに接続されたビーコン記憶装置と、前記ビーコンに電力を供給するように構成された電源とを備え、
前記複数のビーコンの各ビーコンにおける前記ビーコン記憶装置は、前記ビーコンのアドバタイズメントの一部を形成する前記ビーコンのＵＵＩＤと、前記ビーコンのアドバタイズメントの一部を形成する前記ビーコンの第１のプロファイル識別子と、前記ビーコンのアドバタイズメントの一部を形成する前記ビーコンの第２のプロファイル識別子とを格納し、
前記命令情報は、前記移動体通信ユニット及び前記無線ローカルネットワークユニットのうちの少なくとも一方を使用してリモートサーバに接続するための命令情報と、
前記マスタービーコンによって、各ビーコンに搭載された前記ビーコン記憶装置に格納された各ビーコンのＵＵＩＤと、各ビーコンの第１のプロファイル識別子と、各ビーコンの第２のプロファイル識別子とを含む各ビーコンのアドバタイズメントを検出することで、前記複数のビーコンを自動的に検出するための命令情報と、
前記複数のビーコンの検出されたビーコンの各ビーコン記憶装置において、前記第１のプロファイル識別子及び前記第２のプロファイル識別子のうちの一方のプロファイル識別子が、一群のビーコンの各ビーコンにおいて同一になるとともに、前記マスタービーコンに関連付けられるように、前記一方のプロファイル識別子を自動的に変更するための命令情報とを含んでいる、
ビーコンネットワーク。
【請求項１３】
前記複数のビーコンの各ビーコンにおける前記第２のプロファイル識別子は前記複数のビーコン間で重複していない、
請求項１２に記載のビーコンネットワーク。